(57)【要約】  本発明は、薄板用のセグメント化された支持板（２）であって、その支持板（２）が少なくとも２つのセグメント（１４、１６）からジグソーパズルのように組み立てられてセグメント（１４、１６）間の境界線（２２）を形成し、一方のセグメント（１４）が突出部（２８）を有し、その突出部が他方のセグメント（１６）の凹部（３２）に挿入されて突出部（２８）と凹部（３２）との間に境界線セクション（３６）を形成し、かつ突出部（２８）および凹部（３２）は、隣接するセグメント（１４、１６）が、境界線セクション（３６）の少なくとも１つの第１の部分的なセクション（６４）および１つの第２の部分的なセクション（６６）において支持板（２）の周方向（１０、１２）に関して互いに前後して係合する形状にされている、支持板（２）に関する。本発明によれば、第１の部分的なセクション（６４）の、周方向（１２）における半径方向の線（７６）上への投影像（ａ）は、第２の部分的なセクション（６６）の、周方向（１２）における半径方向の線（７６）上への投影像（ｂ）を少なくとも部分的に横断する。本発明はまた、前記タイプのセグメント化された支持板（２）を有する、多板クラッチ用の薄板、特に摩擦薄板に関する。
2010539400.tif 000002
【特許請求の範囲】
【請求項１】
薄板用のセグメント化された支持板（２）であって、その支持板は少なくとも２つのセグメント（１４、１６）からジグソーパズルのように組み合わせられて前記セグメント（１４、１６）間に境界線（２２）を形成し、一方のセグメント（１４）は突起部（２８）を有し、その突起部が他方のセグメント（１６）の凹部（３２）に挿入されて前記突起部（２８）と前記凹部（３２）との間の境界線セクション（３６）を形成し、かつ前記突起部（２８）および前記凹部（３２）は、隣接するセグメント（１４、１６）が、前記境界線セクション（３６）の少なくとも１つの第１の部分的なセクション（６４）および１つの第２の部分的なセクション（６６）において前記支持板（２）の周方向（１０、１２）に関して互いに前後して係合する形状にされている支持板（２）において、
周方向（１２）の半径方向の線（７６）上への前記第１の部分的なセクション（６４）の投影像（ａ）が、周方向（１２）の前記半径方向の線（７６）上への前記第２の部分的なセクション（６６）の投影像（ｂ）に少なくとも部分的に重なり合うことを特徴とする支持板（２）。
【請求項２】
周方向（１２）の前記半径方向の線（７６）上への前記第１の部分的なセクション（６４）の前記投影像（ａ）が、周方向（１２）の前記半径方向の線（７６）上への前記第２の部分的なセクション（６６）の前記投影像（ｂ）に完全に重なり合うことを特徴とする請求項１に記載のセグメント化された支持板（２）。
【請求項３】
周方向（１２）の前記半径方向の線（７６）上への前記第１の部分的なセクション（６４）の前記投影像（ａ）が、周方向（１２）の前記半径方向の線（７６）上への前記第２の部分的なセクション（６６）の前記投影像（ｂ）と合致することを特徴とする請求項２に記載のセグメント化された支持板（２）。
【請求項４】
前記隣接するセグメント（１４、１６）が、前記境界線セクション（３６）の少なくとも１つの別の第３の部分的なセクション（６８）において前記支持板（２）の前記周方向（１０、１２）に関して互いに前後して係合することを特徴とする請求項１〜３のいずれか一項に記載のセグメント化された支持板（２）。
【請求項５】
前記部分的なセクション（６４、６６、６８）が間隔をあけられていることを特徴とする請求項１〜４のいずれか一項に記載のセグメント化された支持板（２）。
【請求項６】
各セグメント（１４、１６）が突起部（２８、３０）および凹部（３４、３２）を有し、それらが各々同じ隣接するセグメント（１６、１４）にある各凹部（３２、３４）および各突起部（３０、２８）と関連していることを特徴とする請求項１〜５のいずれか一項に記載のセグメント化された支持板（２）。
【請求項７】
同じ境界線（２２）の前記２つの境界線セクション（３６、３８）が対称点（８０）に対して実質的に対称的な設計であることを特徴とする請求項１〜６のいずれか一項に記載のセグメント化された支持板（２）。
【請求項８】
前記対称点（８０）が前記境界線（２２）に配置されていることを特徴とする請求項７に記載のセグメント化された支持板（２）。
【請求項９】
前記２つの境界線セクション（３６、３８）が互いに隣接していることを特徴とする請求項７または８に記載のセグメント化された支持板（２）。
【請求項１０】
前記２つの境界線セクション（３６、３８）が前記対称点（８０）において互いに隣接していることを特徴とする請求項９に記載のセグメント化された支持板（２）。
【請求項１１】
前記突起部（２８、３０）が、周方向（１２、１０）において、前記対称点（８０）を通る半径方向の線（８２）の後ろ側に配置されているセグメント（１４、１６）の端部突起部であり、および前記凹部（３４、３２）が、同じ周方向（１２、１０）において、前記対称点（８０）を通る前記半径方向の線（８２）の前側に配置されているセグメント（１４、１６）の端部凹部であることを特徴とする請求項７〜１０のいずれか一項に記載のセグメント化された支持板（２）。
【請求項１２】
前記支持板（２）の前記セグメント（１４、１６、１８）が全て同じ形状を有することを特徴とする請求項１〜１１のいずれか一項に記載のセグメント化された支持板（２）。
【請求項１３】
前記隣接するセグメント（１４、１６）が、全体的に前記境界線（２２）の少なくとも４つの相互に離間した部分的なセクション（６４、７０；６６；６８；７２；７４）において、前記支持板（２）の前記周方向（１０、１２）に関して互いに前後して係合することを特徴とする請求項１〜１２のいずれか一項に記載のセグメント化された支持板（２）。
【請求項１４】
前記突起部（２８、３０）が第１および第２の突起部セクション（４０、４２；５２、５４）を有し、それらは、関連する凹部（３２；３４）の第１および第２の凹部セクション（４４、４６；５８、６０）に延出して前記境界線セクション（３６；３８）の前記第１および前記第２の部分的なセクション（６４、６６；７０、７２）を形成し、前記突起部セクション（４０、４２；５２、５４）および前記凹部セクション（４４、４６；５８、６０）が半径方向内側または半径方向外側のいずれかに延出していることを特徴とする請求項１〜１３のいずれか一項に記載のセグメント化された支持板（２）。
【請求項１５】
前記セグメント化された支持板（２）が環状ディスクとして設計され、かつ内縁部および外縁部（６、８）を有していることを特徴とする請求項１〜１４のいずれか一項に記載のセグメント化された支持板（２）。
【請求項１６】
１つのセグメント（１４；１６）の前記内縁部（６）および／または前記外縁部（８）に支持突起部（８４；８８）がさらに設けられ、その突起部が周方向（１２；１０）に延出し、その突起部上に前記隣接するセグメント（１６；１４）が半径方向に支持されていることを特徴とする請求項１５に記載のセグメント化された支持板（２）。
【請求項１７】
前記隣接するセグメント（１６；１４）の前記内縁部（６）および／または前記外縁部（８）にポケット（８６；９０）が設けられ、そのポケットに前記１つのセグメント（１４；１６）の前記支持突起部（８４；８８）が延出していることを特徴とする請求項１６に記載のセグメント化された支持板（２）。
【請求項１８】
請求項１〜１７のいずれか一項に記載のセグメント化された支持板（２）を有する薄板、特に摩擦薄板。
【請求項１９】
前記薄板の少なくとも一側面、好ましくは両側面に摩擦面が配置されていることを特徴とする請求項１８に記載の薄板。
【発明の詳細な説明】
【技術分野】
【０００１】
本発明は、薄板（ｌａｍｅｌｌａ）型クラッチにおける摩擦薄板などの薄板用のセグメント化された支持板であって、その支持板は少なくとも２つのセグメントからジグソーパズルのように組み立てられてセグメント間に境界線を形成し、一方のセグメントは突起部を有し、その突起部が他方のセグメントの凹部に挿入されて突起部と凹部との間に境界線セクションを形成し、かつ突起部および凹部は、隣接するセグメントが境界線セクションの少なくとも１つの第１の部分的なセクションおよび１つの第２の部分的なセクションにおいて、支持板の周方向に関して互いに前後して（ｂｅｈｉｎｄ  ｏｎｅ  ａｎｏｔｈｅｒ）係合するような形状にされる、支持板に関する。本発明はさらに、前記タイプのセグメント化された支持板を備える薄板に関する。
【背景技術】
【０００２】
米国特許第４，６７４，６１６号明細書には、例えば、薄板用のセグメント化された支持板であって、環状ディスクとして設計されている支持板が記載されている。環状ディスクの形状の支持板は合計４つのセグメントで構成され、それらセグメントは、それらの端部でジグソーパズルのように接合されて、個々の隣接するセグメント間に境界線を形成する。いずれの場合にも支持板の一方のセグメントは端部に突起部を有し、隣接するセグメントは、対応する凹部を有し、そこに、他方のセグメントの突起部を挿入する。突起部と凹部との間に形成される境界線のそのセクションを、本願明細書では以下、境界線セクションと称す。突起部および凹部は、隣接するセグメントが境界線セクションの部分的なセクションにおいて、支持板の周方向に関して互いに前後して係合するような形状にされる。この突起部および凹部の設計により、支持板の組み立てられたセグメントが、周方向においてばらばらにならないようにする。しかしながら、公知の支持板の場合、特に高い回転速度では、それから生じる遠心力のために、破裂し得るという欠点がある。これは、特に突起部および凹部のジオメトリが、遠心力が特に大きい場合には各部分を一緒に確実に保持することを保証できないためである。
【０００３】
この問題を解決するために、欧州特許出願公開第１  ６５０  ４５４Ａ１号明細書では、セグメント化された支持板用の異なる構造が提案されている。この公知の支持板は同様に環状ディスクとして設計され、かつ第１の位置では３つのセグメントで構成され、それらセグメントはジグソーパズルのように組み立てられて、隣接するセグメント間に境界線を形成する。ここでも、１つのセグメントが突起部を有し、それを、隣接するセグメントの対応する凹部に挿入する。しかしながら、上述のセグメント化された支持板とは対照的に、突起部および凹部は、隣接するセグメントが境界線セクションの第１および第２の部分的なセクションにおいて、支持板の周方向に関して互いに前後して係合するような形状にされ、かつ、ここでも、境界線セクションは、突起部と凹部との間に形成される境界線のセクションを描く。境界線セクションの２つの部分的なセクションによって、一方のセグメントを他方のセグメントの凹部内に、より確実に支持することができる。しかしながら、この公知のセグメント化された支持板は、特に高い回転速度、それゆえとりわけ大きい遠心力が支持板に作用する場合に、セグメント間の接合領域において破裂することがある。この問題に対抗するために、欧州特許出願公開第１  ６５０  ４５４Ａ１号明細書では、上述のタイプの別のセグメント化された支持板を第１のセグメント化された支持板上に側方に軸方向の第２の層として固定することがさらに提案されており、２つの支持板のセグメントは互いに対してオフセットして配置される。
【０００４】
上述の公知のセグメント化された支持板は、実際に価値があることがわかっているが、特に２つの支持板を軸方向に接合させて高い回転速度でも構造全体の安定性を保証する必要があるため、比較的高い費用をかけてしか製造できないという欠点を有する。さらに、公知のセグメント化された支持板から組み立てられた摩擦薄板は、個々の支持板の厚さに依存して比較的厚みのある構造となり、全体として軸方向に比較的大きな取付空間が必要になる。
【発明の概要】
【発明が解決しようとする課題】
【０００５】
上述の従来技術を出発点として、本発明の目的は、薄板用のセグメント化された支持板を提供することにあり、その支持板は、簡単に製造でき、軸方向の全長が小さく、およびセグメント化された支持板のセグメントがばらばらになることなく高い回転速度それゆえ大きな遠心力でも使用することができる。セグメントがばらばらになると支持板の破裂をもたらし得る。本発明はさらに、前記タイプの有利なセグメント化された支持板を有する薄板型クラッチ用の薄板、特に摩擦薄板を提供するという目的に基づく。
【課題を解決するための手段】
【０００６】
この目的は、それぞれ特許請求項１および１８において与えられる特徴によって達成される。本発明の有利な実施形態は従属請求項の主題を形成する。
【０００７】
本発明によるセグメント化された支持板は、薄板型クラッチの薄板、特に摩擦薄板用に設計される。支持板は少なくとも２つのセグメントからジグソーパズルのように組み立てられてセグメント間に境界線を形成する。それゆえ、一方のセグメントは突起部を有し、その突起部が他方のセグメントの凹部に挿入されて突起部と凹部との間に境界線セクションを形成する。ここで、用語「境界線セクション」は、突起部の縁部と凹部の縁部との間に形成される境界線のセクションを意味するものとする。突起部および関連の凹部は、隣接するセグメントが境界線セクションの少なくとも１つの第１の部分的なセクションおよび１つの第２の部分的なセクションにおいて、支持板の周方向に関して互いに前後して係合するような形状にされる。すなわち、境界線セクションの各部分的なセクションは、突起部の縁部および凹部の縁部が互いに前後して係合する境界線セクションのセクションである。境界線セクションの各部分的なセクションは、突起部の縁部および凹部の縁部の相互に関連した、向かい合っているまたは隣接しているセクションが互いに前後して係合する境界線セクションのセクションであると言うことが可能であり、かつ好ましい。本発明によれば、周方向における半径方向の線上への第１の部分的なセクションの投影像と、周方向における前記半径方向の線上への第２の部分的なセクションの投影像とは少なくとも部分的に重なり合う。ここで、投影像は、いずれの場合にも周方向、すなわち支持板の周方向にもたらされ、投影方向は湾曲している。
【０００８】
周方向における半径方向の線上への第１および第２の部分的なセクションの投影像が少なくとも部分的に重なり合うために、２つの隣接するセグメント間を周方向に支持する領域を特に大きくすることができ、高い回転速度でも、およびそれに関連して大きな遠心力がある場合でもセグメント間の接合領域において支持板を確実に破裂しないようにすることが可能となる。半径方向の幅が比較的小さい環状ディスクの形態の支持板の場合でも、隣接するセグメント間にとりわけ大きな支持領域をもたらすことが可能となる。支持領域が大きいため、欧州特許出願公開第１  ６５０  ４５４Ａ１号明細書に記載されているもののような、第１の支持板上に軸方向に側方に固定する必要のある別の支持板は必要ない。それゆえ、本発明は、簡単に製造でき、軸方向の全長が短く、かつ遠心力によってセグメント間の接合領域において本発明による支持板を破裂させることなく特に高い回転速度において使用できるセグメント化された支持板を提供する。
【０００９】
本発明によるセグメント化された支持板の好ましい実施形態では、周方向における半径方向の線上への第１の部分的なセクションの投影像は、周方向における前記半径方向の線上への第２の部分的なセクションの投影像に完全に重なり合う。それゆえ、例えば、一方の投影像が完全に他方の投影像内にあるようにすることが可能である。
【００１０】
本発明によるセグメント化された支持板の特に好ましい実施形態では、周方向における半径方向の線上への第１の部分的なセクションの投影像は、周方向における半径方向の線上への第２の部分的なセクションの投影像と合致する。それゆえ、この実施形態では、部分的なセクションがそれぞれ、それらの投影像に対して最大サイズであったとしているため、隣接するセグメントを周方向にとりわけ確実に一緒に保持することを保証する。
【００１１】
本発明によるセグメント化された支持板の有利な実施形態では、隣接するセグメントは、境界線セクションの少なくとも１つの別の第３の部分的なセクションにおいて、支持板の周方向に関して互いに前後して係合する。境界線セクションに別の第３の部分的なセクションがあるために、周方向の隣接するセグメントのつながりがさらに改善され、同様に、周方向における半径方向の線上への第３の部分的なセクションの投影像が、周方向における半径方向の線上への第１および第２の部分的なセクションの投影像に部分的にまたは完全に重なり合うことを可能にする。後者の特徴は、例えば、環状ディスクの形状のセグメント化された支持板の幅が半径方向においてほんのわずかである場合に有利である。
【００１２】
本発明によるセグメント化された支持板のさらに有利な実施形態では、複数の部分的なセクションは間隔があけられている。これは、境界線セクションの別のセクションが上述の部分的なセクション間に延在し、これらの中間セクションのセグメントが周方向に関して互いに前後して係合していないことを意味する。
【００１３】
本発明によるセグメント化された支持板の特に有利な実施形態では、各セグメントが突起部および凹部を有し、それらはそれぞれ、同じ隣接するセグメントの各凹部および各突起部に関連する。このように、各セグメントの端部セクションはキーおよびロックの双方の機能を果たし、セグメント間の接合領域において特に信頼性のあるつなぎを提供することを可能とする。
【００１４】
本発明によるセグメント化された支持板の別の好ましい実施形態では、同じ境界線の２つの境界線セクションは、対称点に関して実質的に対称的な設計である。それゆえ、第１の境界線セクションは、一方のセグメントの突起部と他方のセグメントの凹部との間に形成される一方、第２の境界線セクションは、一方のセグメントの凹部と他方のセグメントの突起部との間に形成される。ここで、用語「実質的に」により、２つの境界線セクションを実際に、支持板が組み立てられた状態で点対称をなすように設計できることが明白になる。しかしながら、同様に、突起部および凹部が周方向に完全にまたは部分的に支持板の湾曲に従うようにすることも可能であり、その結果、実際の点対称からわずかにずれることもある。
【００１５】
本発明によるセグメント化された支持板のさらに好ましい実施形態では、対称点は境界線に配置されている。
【００１６】
本発明によるセグメント化された支持板のさらに有利な実施形態では、２つの境界線セクションは互いに隣接している。
【００１７】
本発明によるセグメント化された支持板のさらなる、特に有利な実施形態では、２つの境界線セクションは対称点において互いに隣接している。
【００１８】
本発明によるセグメント化された支持板のさらなる、特に有利な実施形態では、突起部は、周方向において、対称点を通る半径方向の線の後ろ側に配置されているセグメントの端部突起部であり、および凹部は、同じ周方向において、対称点を通る半径方向の線の前側に配置されているセグメントの端部凹部である。
【００１９】
個々のセグメントの製造をさらに単純化し、かつそれに続いて個々のセグメントから、セグメント化された支持板を組み立てるために、支持板のセグメントは全て同じ形状を有する。用語「形状」は、特にセグメントの輪郭を指すものとし、かついずれかの内歯部または外歯部が好ましくは同様に含まれる。
【００２０】
セグメント化された支持板のセグメントを特に確実につなげるために、本発明によるセグメント化された支持板の別の好ましい実施形態の隣接するセグメントは、全体的に境界線の少なくとも４つの相互に離間した部分的なセクションにおいて、支持板の周方向に関して互いに前後して係合する。
【００２１】
本発明による支持板のセグメントの、周方向におけるつながりをさらに改善するために、本発明によるセグメント化された支持板の別の特に好ましい実施形態の突起部は、第１および第２の突起部セクションを有し、それらは関連の凹部の第１および第２の凹部セクションにそれぞれ延出して、境界線セクションの第１および第２の部分的なセクションを形成し、突起部セクションおよび凹部セクションは半径方向内側または半径方向外側のいずれかに延出している。それゆえ、例えば、突起部を、櫛のように合致させることができ、その歯が凹部の凹部セクションにおいて半径方向に係合し、その凹部を同様に櫛状の構成とすることができる。それにより、支持板の回転速度が著しく高いときでもセグメントを特に確実につなげることができる。
【００２２】
本発明のセグメント化された支持板のさらに有利な実施形態では、セグメント化された支持板は、環状ディスクとして設計され、かつ内縁部および外縁部を有する。それゆえ、内縁部または外縁部に歯部を設けることが可能となり、例えば、支持板を薄板型クラッチの外板支持体または内板支持体にねじり剛性的に接続することができるようになる。
【００２３】
特に高い速度それゆえ大きな遠心力で凹部が拡大して、突起部が周方向に凹部から滑り落ちないようにするために、本発明によるセグメント化された支持板のさらなる特に好ましい実施形態において、一方のセグメントの外縁部および／または内縁部に支持突起部をさらに提供し、その突起部は周方向に延在し、かつその突起部上で隣接するセグメントが半径方向に支持される。
【００２４】
本発明によるセグメント化された支持板のさらに特に好ましい実施形態によれば、隣接するセグメントの内縁部および／または外縁部にポケットが設けられ、そのポケットに、一方のセグメントの上述の支持突起部が延出する。このように、半径方向に突出する支持突起部がなくても円形の内縁部または外縁部を設けることが可能となる。
【００２５】
例えば摩擦クラッチ用の摩擦薄板とし得る本発明による薄板は、上述のタイプの本発明によるセグメント化された支持板を有する。これはまた、セグメント化された支持板のみからなる薄板、鋼薄板を含み得る。
【００２６】
本発明による薄板の好ましい実施形態では、摩擦面は薄板の少なくとも一側面、好ましく両側面に配置されている。初めに述べた場合では、片面薄板と称すものである。摩擦面は例えば紙製の摩擦面とし得る。さらに、摩擦面も同様にセグメント化でき、その場合、摩擦面のセグメント間の接合部は、好ましくは支持板のセグメント間の接合部に対してオフセットして配置されている。
【００２７】
本発明を以下、添付の図面を参照して例示的な実施形態によって詳細に説明する。
【図面の簡単な説明】
【００２８】
【図１】本発明のセグメント化された支持板の一実施形態の平面図を示す。
【図２】図１の詳細部Ａの拡大図を示す。
【発明を実施するための形態】
【００２９】
図１に、薄板用の本発明によるセグメント化された支持板２の一実施形態を示す。薄板を、例えばクラッチ装置、制動装置などのための薄板とし得る。それゆえ、このために、例えば、セグメント化された支持板２の少なくとも一側面に摩擦面（図示せず）を固定して、上述の装置の１つのための摩擦薄板を得ることが可能である。薄板が、支持板２のみによって形成されかつ鋼薄板を構成することも可能である。セグメント化された支持板２を環状ディスクとして設計し、かつ支持板２は、上述の装置の１つ内で、図１の図面の平面に対して垂直な方向に延在する回転軸４の周りを回転することができる。ここで、セグメント化された支持板２は、回転軸４に向く内縁部６、および半径方向外側に向く外縁部８を有する。図１では、２つの周方向１０、１２を矢印で示す。
【００３０】
図１に示す実施形態では、セグメント化された支持板２は３つのセグメント１４、１６および１８で構成されている。セグメント１４、１６、１８は全て同じ形状または外形を有し、多数の半径方向内側に向く歯２０が、セグメント１４、１６、１８の、回転軸４に対面しかつ支持板２の内縁部６を形成している側縁に設けられており、これらの歯によって、結果的に、例えばクラッチ装置または類似の外側薄板支持体とねじり剛性的に係合することが可能となる。それゆえ、図示の支持板２は外側薄板用の支持板として設計するが、歯２０を同様に支持板２の外縁部８に設けて、支持板２が内側薄板用の支持板を形成できるようにすることもできる。
【００３１】
セグメント１４、１６、１８を、周方向１０または１２に向いているそれらの端部セクションにおいてジグソーパズルのように接合させ、その結果、境界線２２、２４、２６をいずれの場合も、相互に隣接するセグメント１４、１６；１６、１８；１８、１４の間に形成する。互いに分離された境界線２２、２４、２６はそれぞれ半径方向外側に、セグメント化された支持板２の内縁部６から外縁部８まで延在している。境界線２２の正確な構造および形状を、セグメント１６、１８、２０間の境界線２２、２４、２６を全て示すものとして、前記境界線２２を使用して図２を参照して詳細に説明する。
【００３２】
それらの相互に向かい合う端部セクションでは、セグメント１４、１６はそれぞれ突起部２８、３０を有する。図２では、２つの突起部２８、３０にはそれぞれ、明白にするためにハッチングを施してある。セグメント１４の突起部２８をセグメント１６の端部セクションの凹部３２に挿入する。その凹部３２は突起部２８と同じ形状を有する。他方で、セグメント１６の突起部３０をセグメント１４の端部セクションの凹部３４に挿入する。この凹部３４も同様に、セグメント１６の突起部３０と同じ形状を有する。このようにして、セグメント１４、１６を、それらの端部セクションにおいてジグソーパズルのように互いに接続する。境界線２２の第１のセクション（以下第１の境界線セクション３６と称す）は、突起部２８の縁部と凹部３２の縁部との間に形成される。同様の方法で、境界線２２の第２のセクション（以下第２の境界線セクション３８と称す）は、突起部３０の縁部と凹部３４の縁部との間に形成される。
【００３３】
突起部２８は第１の突起部セクション４０および第２の突起部セクション４２を有し、それらには、図２においてクロスハッチングが施されている。２つの突起部セクション４０、４２は突起部２８から出発して半径方向外側に外縁部８の方向に延出する。その際に、２つの突起部セクション４０、４２はそれぞれ、凹部３２の対応する凹部セクション４４および４６に延出する。さらに突起部２８には第３の突起部セクション４８も設けられており、これにも同様にクロスハッチングを施して示している。第３の突起部セクション４８は、支持板２の内縁部６の方向に半径方向内側に延在し、凹部３２の第３の凹部セクション５０を占有する。
【００３４】
同様に、セグメント１６の突起部３０は、クロスハッチングが施された突起部セクションを有し、第１の突起部セクション５２および第２の突起部セクション５４は、支持板２の内縁部６の方向に半径方向内側に延在する一方、第３の突起部セクション５６は、支持板２の外縁部８の方向に半径方向外側に延在する。ここでも、上述の突起部セクション５２、５４、５６はそれぞれ、セグメント１４にある凹部３４の対応する凹部セクション５８、６０、６２に延出する。
【００３５】
突起部２８の第１の突起部セクション４０および凹部３２の第１の凹部セクション４４は、隣接するセグメント１４、１６が境界線セクション３６の第１の部分的なセクション６４において支持板２の周方向１０または１２に関して互いに前後して係合するような形状にされる。同様に、突起部２８の第２の突起部セクション４２および凹部３２の第２の凹部セクション４６は、隣接するセグメント１４、１６が境界線セクション３６の第２の部分的なセクション６６において支持板２の周方向１０または１２に関して互いに前後して係合するような形状にされる。加えて、突起部２８の第３の突起部セクション４８および凹部３２の第３の凹部セクション５０は、隣接するセグメント１４、１６が境界線セクション３６の第３の部分的なセクション６８においてさらに支持板２の周方向１０または１２に関して互いに前後して係合するような形状にされる。
【００３６】
セグメント１６の突起部３０およびセグメント１４の関連の凹部３４は実質的に同じ形状であり、その結果、第１の部分的なセクション７０、第２の部分的なセクション７２および第３の部分的なセクション７４も同様に第２の境界線セクション３８内に形成され、隣接するセグメント１４、１６は、前記部分的なセクションにおいて支持板２の周方向１０、１２に関して互いに前後して係合する。図２において、部分的なセクション６４、６６、６８、７０、７２、７４を、境界線セクション３６および３８の残りのセクションよりも太い線で示して、区別および境界をより明瞭にする。さらに部分的なセクション６４、６６、６８は第１の境界線セクション３６に沿って間隔をあけられる一方、部分的なセクション７０、７２、７４は第２の境界線セクション３８に沿って間隔をあけられる。
【００３７】
第１の部分的なセクション６４が、周方向１２に支持板２の第１の半径方向の線７６上に投影される場合、投影線の形態の投影像ａが得られる。さらに、第２の部分的なセクション６６が周方向１２において第１の半径方向の線７６上に投影される場合、投影線の形態の投影像ｂが得られる。第１の境界線セクション３６の第１および第２の部分的なセクション６４、６６を、第１の部分的なセクション６４の投影像ａが第２の部分的なセクション６６の投影像ｂに完全に重なり合うように配置する。
【００３８】
第１の部分的なセクション７０が周方向１０において第２の半径方向の線７８上に投影される場合、投影線の形態の投影像ｃが得られる。さらに、第２の部分的なセクション７２が周方向１０において第２の半径方向の線７８上に投影される場合、別の投影線の形態の投影像ｄが得られる。ここで、第１の部分的なセクション７０の投影像ｃは、第２の部分的なセクション７２の投影像ｄに少なくとも部分的に重なり合う。
【００３９】
投影像ａ〜ｄを生じるために、投影方向は、周方向１２および１０に従ってそれぞれ湾曲している。代替的な実施形態では、半径方向の線７６および７８上への投影像ａおよびｂ、ｃおよびｄをそれぞれ合致させることができる。第２の部分的なセクション６６および７２に対する第１の部分的なセクション６４および７０の特別な配置はそれぞれ、２つのセグメント１４、１６が周方向１０、１２において特に強力に互いを保持し合い、支持板２を、高い回転速度で回転する摩擦薄板にとりわけ好適なものにする効果を有する。セグメント１４と１６との間の接合領域における支持板２の破裂を確実に防止することができ、内縁部６と外縁部８との間の支持板２の幅が特に小さいときに、入れ子状にされた第１および第２の部分的なセクション６４、７０および６６、７２をそれぞれ特に有利に使用することができる。
【００４０】
同じ境界線２２の２つの境界線セクション３６、３８は、対称点に対して実質的に対称的な設計である。ここで、用語「実質的に」によって、２つの境界線セクション３６、３８を実際に、支持板２が組み立てられた状態で点対称となるように設計し得ることを明確にする。しかしながら、同様に、突起部２８、３０および凹部３２、３４が周方向に完全にまたは部分的に支持板２の湾曲に従うようにすることも可能であり、その結果、図２に示すように、それらが実際の点対称からわずかにずれることもある。図２では、対応する対称点に参照符号８０を付し、その対称点は境界線２２に配置されている。
【００４１】
２つの境界線セクション３６、３８は互いに隣接し、対称点８０は２つの境界線セクション３６と３８との間に配置される。２つの第１の部分的なセクション６４および７０は接合しており、対称点８０はこれら２つの部分的なセクション６４と７０との間にある。それゆえ、合計で５つの相互に離間した部分的なセクション６４および７０、６６、６８、７２、７４が全体として境界線２２に沿って設けられ、これらセクションにおいて、隣接するセグメント１４、１６は支持板２の周方向１０、１２に関して互いに前後して係合する。
【００４２】
上述の説明では、突起部２８または３０は、周方向１０または１２において、対称点８０を通る半径方向の線８２の後ろ側に配置されているセグメント１４または１６の端部突起部を意味すると理解される一方、凹部３４または３２は、同じ周方向１２または１０において、対称点８０を通る半径方向の線８２の前側に配置されているセグメント１４または１６の端部凹部を意味すると理解される。
【００４３】
セグメント１６の凹部３２が拡大しないようにし、それゆえ周方向１０において突起部２８が凹部３２から滑り落ちないようにするため、突起部２８はさらに、図２でクロスハッチが施された支持突起部８４を有する。支持突起部８４は支持板２の内縁部６に設けられ、かつ周方向１２に延在する。このように、セグメント１６は支持突起部８４上で半径方向内側方向に支持され、支持板２の内縁部６の領域においてセグメント１６にポケット８６が設けられており、そのポケットに、支持突起部８４は周方向１２に延出することができる。凹部３４にも同じ効果を達成するために、セグメント１６の突起部３０はさらに、周方向１０においてセグメント１４の対応するポケット９０に延出する支持突起部８８を有する。支持突起部８８は支持板２の外縁部８に沿って配置される。ポケット８６およびポケット９０の双方とも、凹部３２および凹部３４の一部としてそれぞれ設計し得る。
【符号の説明】
【００４４】
２  セグメント化された支持板
４  回転軸
６  内縁部
８  外縁部
１０  周方向
１２  反対の周方向
１４  セグメント
１６  セグメント
１８  セグメント
２０  歯
２２  境界線
２４  境界線
２６  境界線
２８  突起部
３０  突起部
３２  凹部
３４  凹部
３６  第１の境界線セクション
３８  第２の境界線セクション
４０  第１の突起部セクション
４２  第２の突起部セクション
４４  第１の凹部セクション
４６  第２の凹部セクション
４８  第３の突起部セクション
５０  第３の凹部セクション
５２  第１の突起部セクション
５４  第２の突起部セクション
５６  第３の突起部セクション
５８  第１の凹部セクション
６０  第２の凹部セクション
６２  第３の凹部セクション
６４  第１の部分的なセクション
６６  第２の部分的なセクション
６８  第３の部分的なセクション
７０  第１の部分的なセクション
７２  第２の部分的なセクション
７４  第３の部分的なセクション
７６  第１の半径方向の線
７８  第２の半径方向の線
８０  対称点
８２  対称点を通る半径方向の線
８４  支持突起部
８６  ポケット
８８  支持突起部
９０  ポケット
ａ  投影像
ｂ  投影像
ｃ  投影像
ｄ  投影像
【図１】
2010539400.tif 000003
【図２】
2010539400.tif 000004
【国際調査報告】
2010539400.tif 000005
2010539400.tif 000006
2010539400.tif 000007
2010539400.tif 000008